【手続補正書】
【提出日】平成19年10月16日(2007.10.16)
【手続補正１】
【補正対象書類名】明細書
【補正対象項目名】特許請求の範囲
【補正方法】変更
【補正の内容】
【特許請求の範囲】
【請求項１】  広告を掲載した印刷物であって、当該印刷物には、アクセス装置が、インターネットに接続されたワールドワイドウエブ上の前記広告に係る情報資源を指定してアクセスするためのウェブサーバ名称と、前記印刷物を識別するためのＩＤ情報と、前記広告を識別するためのＩＤ情報とを符号化処理して得られる光学的に読み取り可能な符号化画像が印刷されており、
前記符号化画像が読取装置によって光学的に読み取られ、この読み取られた符号化画像から前記ウェブサーバ名称と前記各ＩＤ情報とが復元されて、前記読取装置に接続された前記アクセス装置により、当該復元されたウェブサーバ名称に対応する前記情報資源がアクセスされたときの当該情報資源へのアクセス状況に関するアクセス情報と前記各ＩＤ情報とを利用して、前記広告の効果に関する調査及び／又は分析を行うことを特徴とするマーケティングリサーチ方法。
【請求項２】  前記印刷物が複数の異なる広告を掲載した印刷物であり、前記符号化画像が、当該複数の各広告毎にそれぞれ印刷されているとき、
前記広告を識別するためのＩＤ情報は、この複数の各広告を識別するための情報であることを特徴とする請求項１に記載のマーケティングリサーチ方法。
【請求項３】  前記印刷物が、同一内容の広告を掲載した異なる複数種の印刷物であり、前記符号化画像が、当該複数種の印刷物毎の各広告に対応して印刷されているとき、
前記広告を識別するためのＩＤ情報は、同一のＩＤ情報であることを特徴とする請求項１に記載のマーケティングリサーチ方法。
【請求項４】  前記情報資源へのアクセス状況に関するアクセス情報が、当該情報資源へのアクセス数、アクセス日時、又はアクセス者に関する情報であることを特徴とする請求項１に記載のマーケティングリサーチ方法。
【請求項５】  前記情報資源は、前記アクセス情報と、前記アクセス装置から渡される前記各ＩＤ情報とを蓄積するデータベースサーバを備えていることを特徴とする請求項１に記載のマーケティングリサーチ方法。
【請求項６】  広告を掲載した印刷物であって、
アクセス装置が、インターネットに接続されたワールドワイドウエブ上の前記広告に係る情報資源を指定してアクセスするためのウェブサーバ名称と、前記印刷物を識別するためのＩＤ情報と、前記広告を識別するためのＩＤ情報とを符号化処理して得られる光学的に読み取り可能な符号化画像が印刷されており、
前記符号化画像が読取装置によって光学的に読み取られ、この読み取られた符号化画像から前記ウェブサーバ名称と前記各ＩＤ情報とが復元されて、前記読取装置に接続された前記アクセス装置により、当該復元されたウェブサーバ名称に対応する前記情報資源がアクセスされたときの当該情報資源へのアクセス状況に関するアクセス情報と前記各ＩＤ情報とを利用して、前記広告の効果に関する調査及び／又は分析を行うマーケティングリサーチに用いる印刷物。
【請求項７】  前記印刷物が複数の異なる広告を掲載した印刷物であり、前記符号化画像が、当該複数の各広告毎にそれぞれ印刷されているとき、
前記広告を識別するためのＩＤ情報は、この複数の各広告を識別するための情報であることを特徴とする請求項６に記載の印刷物。
【請求項８】  前記印刷物が、同一内容の広告を掲載した異なる複数種の印刷物であり、前記符号化画像が、当該複数種の印刷物毎の各広告に対応して印刷されているとき、
前記広告を識別するためのＩＤ情報は、同一のＩＤ情報であることを特徴とする請求項６に記載の印刷物。
【請求項９】  前記情報資源へのアクセス状況に関するアクセス情報が、当該情報資源へのアクセス数、アクセス日時、又はアクセス者に関する情報であることを特徴とする請求項６に記載の印刷物。
【請求項１０】  前記情報資源は、前記アクセス情報と、前記アクセス装置から渡される前記各ＩＤ情報とを蓄積するデータベースサーバを備えていることを特徴とする請求項６に記載の印刷物。
【請求項１１】  広告を掲載した印刷物であって、当該印刷物には、アクセス装置が、インターネットに接続されたワールドワイドウエブ上の前記広告に係る情報資源を指定してアクセスするためのウェブサーバ名称と、前記印刷物を識別するためのＩＤ情報と、前記広告を識別するためのＩＤ情報とを符号化処理して得られる光学的に読み取り可能な符号化画像が印刷されており、
前記符号化画像が読取装置によって光学的に読み取られ、この読み取られた符号化画像から前記ウェブサーバ名称と前記各ＩＤ情報とが復元されて、前記読取装置に接続された前記アクセス装置により、当該復元されたウェブサーバ名称に対応する前記情報資源がアクセスされたときの当該情報資源へのアクセス状況に関するアクセス情報と前記各ＩＤ情報とを利用して、前記広告の効果に関する調査及び／又は分析を行うマーケティングリサーチにおいて利用される前記情報資源であって、
前記情報資源は、前記アクセス情報と、前記アクセス装置から渡される前記各ＩＤ情報とを蓄積するデータベースサーバを備えていることを特徴とする情報資源。
【請求項１２】  前記印刷物が複数の異なる広告を掲載した印刷物であり、前記符号化画像が、当該複数の各広告毎にそれぞれ印刷されているとき、
前記広告を識別するためのＩＤ情報は、この複数の各広告を識別するための情報であることを特徴とする請求項１１に記載の情報資源。
【請求項１３】  前記印刷物が、同一内容の広告を掲載した異なる複数種の印刷物であり、前記符号化画像が、当該複数種の印刷物毎の各広告に対応して印刷されているとき、
前記広告を識別するためのＩＤ情報は、同一のＩＤ情報であることを特徴とする請求項１１に記載の情報資源。
【請求項１４】  前記情報資源へのアクセス状況に関するアクセス情報が、当該情報資源へのアクセス数、アクセス日時、又はアクセス者に関する情報であることを特徴とする請求項１１に記載の情報資源。
【手続補正２】
【補正対象書類名】明細書
【補正対象項目名】００１３
【補正方法】変更
【補正の内容】
【００１３】
【課題を解決するための手段】
上記の目的を達成するために、本発明によるマーケティングリサーチ方法は、広告を掲載した印刷物であって、当該印刷物には、アクセス装置が、インターネットに接続されたワールドワイドウエブ（ＷＷＷ）上の上記広告に係る情報資源を指定してアクセスするためのウェブサーバ名称と、上記印刷物を識別するためのＩＤ情報と、上記広告を識別するためのＩＤ情報とを符号化処理して得られる光学的に読み取り可能な符号化画像が印刷されており、
上記符号化画像が読取装置によって光学的に読み取られ、この読み取られた符号化画像から上記ウェブサーバ名称と上記各ＩＤ情報とが復元されて、上記読取装置に接続された上記アクセス装置により、当該復元されたウェブサーバ名称に対応する上記情報資源がアクセスされたときの当該情報資源へのアクセス状況に関するアクセス情報と上記各ＩＤ情報とを利用して、上記広告の効果に関する調査及び／又は分析を行うことを特徴とする。
【手続補正３】
【補正対象書類名】明細書
【補正対象項目名】００１４
【補正方法】変更
【補正の内容】
【００１４】
即ち、印刷物には、広告以外に、ウェブサーバ名称と、上記印刷物を識別するためのＩＤ情報と、上記広告を識別するためのＩＤ情報とを符号化処理して得られる光学的に読み取り可能な符号化画像が印刷されている。
【手続補正４】
【補正対象書類名】明細書
【補正対象項目名】００１５
【補正方法】変更
【補正の内容】
【００１５】
従って、読者は、当該印刷物を読んだり見たりして興味を示した場合には、更に詳細な或いは深い情報を取得しようと試みるので、当然、当該印刷物に印刷されているその符号化画像を読取装置で読み取って上記ウェブサーバ名称と上記各ＩＤ情報とを復元し、このウェブサーバ名称によって指定されるＷＷＷ上の情報資源へのアクセスを行う。
【手続補正５】
【補正対象書類名】明細書
【補正対象項目名】００１６
【補正方法】変更
【補正の内容】
【００１６】
このため、この情報資源へのアクセス状況と上記各ＩＤ情報とを利用することにより、上記広告の効果に関する調査及び／又は分析がより正確且つ簡単に行うことが可能となる。
【手続補正６】
【補正対象書類名】明細書
【補正対象項目名】００１７
【補正方法】変更
【補正の内容】
【００１７】
また、上記目的を達成するために、本発明によるマーケティングリサーチに用いる印刷物は、広告を掲載した印刷物であって、
アクセス装置が、インターネットに接続されたワールドワイドウエブ（ＷＷＷ）上の上記広告に係る情報資源を指定してアクセスするためのウェブサーバ名称と、上記印刷物を識別するためのＩＤ情報と、上記広告を識別するためのＩＤ情報とを符号化処理して得られる光学的に読み取り可能な符号化画像が印刷されており、
上記符号化画像が読取装置によって光学的に読み取られ、この読み取られた符号化画像から上記ウェブサーバ名称と上記各ＩＤ情報とが復元されて、上記読取装置に接続された上記アクセス装置により、当該復元されたウェブサーバ名称に対応する上記情報資源がアクセスされたときの当該情報資源へのアクセス状況に関するアクセス情報と上記各ＩＤ情報とを利用して、上記広告の効果に関する調査及び／又は分析を行うマーケティングリサーチに用いることを特徴とする。
【手続補正７】
【補正対象書類名】明細書
【補正対象項目名】００１８
【補正方法】変更
【補正の内容】
【００１８】
即ち、印刷物には、広告以外に、ウェブサーバ名称と、上記印刷物を識別するためのＩＤ情報と、上記広告を識別するためのＩＤ情報とを符号化処理して得られる光学的に読み取り可能な符号化画像が印刷されている。
【手続補正８】
【補正対象書類名】明細書
【補正対象項目名】００１９
【補正方法】変更
【補正の内容】
【００１９】
従って、読者は、当該印刷物を読んだり見たりして興味を示した場合には、更に詳細な或いは深い情報を取得しようと試みるので、当然、当該印刷物に印刷されているその符号化画像を読取装置で読み取って上記ウェブサーバ名称と上記各ＩＤ情報とを復元し、このウェブサーバ名称によって指定されるＷＷＷ上の情報資源へのアクセスを行う。
【手続補正９】
【補正対象書類名】明細書
【補正対象項目名】００２０
【補正方法】変更
【補正の内容】
【００２０】
このため、この情報資源へのアクセス状況と上記各ＩＤ情報とを利用することにより、上記広告の効果に関する調査及び／又は分析がより正確且つ簡単に行うことが可能となる。
【手続補正１０】
【補正対象書類名】明細書
【補正対象項目名】００２１
【補正方法】変更
【補正の内容】
【００２１】
また、上記目的を達成するために、本発明によるマーケティングリサーチにおいて利用される情報資源は、広告を掲載した印刷物であって、当該印刷物には、アクセス装置が、インターネットに接続されたワールドワイドウエブ（ＷＷＷ）上の上記広告に係る情報資源を指定してアクセスするためのウェブサーバ名称と、上記印刷物を識別するためのＩＤ情報と、上記広告を識別するためのＩＤ情報とを符号化処理して得られる光学的に読み取り可能な符号化画像が印刷されており、
上記符号化画像が読取装置によって光学的に読み取られ、この読み取られた符号化画像から上記ウェブサーバ名称と上記各ＩＤ情報とが復元されて、上記読取装置に接続された上記アクセス装置により、当該復元されたウェブサーバ名称に対応する上記情報資源がアクセスされたときの当該情報資源へのアクセス状況に関するアクセス情報と上記各ＩＤ情報とを利用して、上記広告の効果に関する調査及び／又は分析を行うマーケティングリサーチにおいて利用される上記情報資源であって、
上記情報資源は、上記アクセス情報と、上記アクセス装置から渡される上記各ＩＤ情報とを蓄積するデータベースサーバを備えていることを特徴とする。
【手続補正１１】
【補正対象書類名】明細書
【補正対象項目名】００２２
【補正方法】変更
【補正の内容】
【００２２】
即ち、印刷物には、広告以外に、ウェブサーバ名称と、上記印刷物を識別するためのＩＤ情報と、上記広告を識別するためのＩＤ情報とを符号化処理して得られる光学的に読み取り可能な符号化画像が印刷されている。
【手続補正１２】
【補正対象書類名】明細書
【補正対象項目名】００２３
【補正方法】変更
【補正の内容】
【００２３】
従って、読者は、当該印刷物を読んだり見たりして興味を示した場合には、更に詳細な或いは深い情報を取得しようと試みるので、当然、当該印刷物に印刷されているその符号化画像を読取装置で読み取って上記ウェブサーバ名称と上記各ＩＤ情報とを復元し、このウェブサーバ名称によって指定されるＷＷＷ上の情報資源へのアクセスを行う。
【手続補正１３】
【補正対象書類名】明細書
【補正対象項目名】００２４
【補正方法】変更
【補正の内容】
【００２４】
ここで、この情報資源は、このアクセス状況に関するアクセス情報と、上記アクセス装置から渡される上記各ＩＤ情報とを蓄積するデータベースサーバを備えているので、上記広告の効果に関する調査及び／又は分析を簡単に行うことが可能となる。